【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
光電変換素子をそれぞれ含む、２次元に配置された複数の画素と、
前記複数の画素の各列毎に設けられた複数の信号出力線と、
前記複数の画素のうち、選択した行について、第１列の画素の光電変換素子から第１の信号出力線を介して光信号を読み出し、第２列の画素の光電変換素子から光信号を読み出すための第２の信号出力線を介してノイズ信号を読み出すように前記複数の画素を駆動する駆動手段と、
前記光信号と前記ノイズ信号との差分処理を行う差分手段と、
を有することを特徴とする撮像装置。
【請求項２】
前記光信号を一時的に保持する第１の保持手段と、
前記ノイズ信号を一時的に保持する第２の保持手段と、
前記第１の保持手段に保持された前記光信号と前記第２の保持手段に保持された前記ノイズ信号を、同じタイミングで前記第１及び第２の保持手段から前記差分手段に出力する出力手段とを更に有し、
前記駆動手段は、前記光信号と前記ノイズ信号とを１列おきに交互に前記第１及び第２の保持手段に同じタイミングで読み出すように前記複数の画素を駆動することを特徴とする請求項１に記載の撮像装置。
【請求項３】
前記出力手段は、互いに隣り合う２列を１組として、互いの前記第１の保持手段に保持された前記光信号と前記第２の保持手段に保持された前記ノイズ信号を同じタイミングで出力することを特徴とする請求項２に記載の撮像装置。
【請求項４】
前記駆動手段は、各行毎に、第１のタイミングで１列おきに前記光電変換素子から光信号を読み出し、第２のタイミングで、前記第１のタイミングでノイズ信号を読み出した列から、前記光電変換素子から光信号を読み出すように読み出し駆動することを特徴とする請求項１乃至３のいずれか１項に記載の撮像装置。
【請求項５】
前記出力手段は複数の出力チャンネルからなることを特徴とする請求項２乃至４のいずれか１項に記載の撮像装置。
【請求項６】
前記各信号出力線には、クランプ回路が接続され、
前記駆動手段は、前記画素のリセット電位を前記クランプ回路においてクランプし、前記クランプ回路を介して、前記光信号及び前記ノイズ信号を読み出すことを特徴とする請求項１乃至５のいずれか１項に記載の撮像装置。
【請求項７】
前記複数の画素に光を結像するレンズと、前記差分手段から出力された信号を処理する信号処理部とを有する請求項１乃至６のいずれか１項に記載の撮像装置。
【請求項８】
光電変換素子をそれぞれ含む、２次元に配置された複数の画素と、前記複数の画素の各列毎に設けられた複数の信号出力線とを有する撮像装置の駆動方法であって、
前記複数の画素のうち、選択した行について、第１列の画素の光電変換素子から第１の信号出力線を介して光信号を読み出し、第２列の画素の光電変換素子から光信号を読み出すための第２の信号出力線を介してノイズ信号を読み出すように前記複数の画素を駆動する工程と、
前記光信号と前記ノイズ信号との差分処理を行う工程と、
を有することを特徴とする撮像装置の駆動方法。
【手続補正２】
【補正対象書類名】明細書
【補正対象項目名】発明の名称
【補正方法】変更
【補正の内容】
【発明の名称】撮像装置及びその駆動方法
【手続補正３】
【補正対象書類名】明細書
【補正対象項目名】０００１
【補正方法】変更
【補正の内容】
【０００１】
本発明は撮像装置及びその駆動方法に関し、特に、外乱ノイズを削減することを可能にした撮像装置及びその駆動方法に関する。
【手続補正４】
【補正対象書類名】明細書
【補正対象項目名】００１０
【補正方法】変更
【補正の内容】
【００１０】
上記目的を達成するために、本発明の撮像装置は、光電変換素子をそれぞれ含む、２次元に配置された複数の画素と、前記複数の画素の各列毎に設けられた複数の信号出力線と、前記複数の画素のうち、選択した行について、第１列の画素の光電変換素子から第１の信号出力線を介して光信号を読み出し、第２列の画素の光電変換素子から光信号を読み出すための第２の信号出力線を介してノイズ信号を読み出すように前記複数の画素を駆動する駆動手段と、前記光信号と前記ノイズ信号との差分処理を行う差分手段と、を有する。
【手続補正５】
【補正対象書類名】明細書
【補正対象項目名】００１１
【補正方法】変更
【補正の内容】
【００１１】
また、光電変換素子をそれぞれ含む、２次元に配置された複数の画素と、前記複数の画素の各列毎に設けられた複数の信号出力線とを有する撮像装置の本発明の駆動方法は、前記複数の画素のうち、選択した行について、第１列の画素の光電変換素子から第１の信号出力線を介して光信号を読み出し、第２列の画素の光電変換素子から光信号を読み出すための第２の信号出力線を介してノイズ信号を読み出すように前記複数の画素を駆動する工程と、前記光信号と前記ノイズ信号との差分処理を行う工程と、を有する。
【手続補正６】
【補正対象書類名】明細書
【補正対象項目名】００２２
【補正方法】変更
【補正の内容】
【００２２】
上述した第１、第２の行選択線、行リセット線、垂直走査線は垂直走査回路１１１１に接続され、後述するタイミングに基づいて信号電圧が供給される。なお、各配線に対して印可される信号は、各配線の前に「φ」を付加して配線と区別する。
【手続補正７】
【補正対象書類名】明細書
【補正対象項目名】００２３
【補正方法】変更
【補正の内容】
【００２３】
また、図２に示されている残りの行についても、同様な構成の画素セルと、第１、第２の行選択線、行リセット線、垂直走査線が設けられる。これらの第１、第２の行選択線、行リセット線、垂直走査線には、垂直走査回路ブロック１１１１により形成されたφＰＴＸ１２〜φＰＴＸ１３、φＰＴＸ２２〜φＰＴＸ２３、φＰＲＥＳ２〜φＰＲＥＳ３、φＰＳＥＬ２〜φＰＳＥＬ３が供給される。
【手続補正８】
【補正対象書類名】明細書
【補正対象項目名】００２７
【補正方法】変更
【補正の内容】
【００２７】
垂直信号線Ｖ１に配置された水平転送スイッチ５４１と、垂直信号線Ｖ２に配置された水平転送スイッチ５３２のゲートは列選択線Ｈ１に共通に接続され、水平走査回路１１２１に接続される。垂直信号線Ｖ２に配置された光信号水平転送スイッチ５４２と、垂直信号線Ｖ３に配置されたノイズ信号水平転送スイッチ５３３のゲートは列選択線Ｈ３に共通に接続され、水平走査回路ブロック１２１に接続される。
【手続補正９】
【補正対象書類名】明細書
【補正対象項目名】００４６
【補正方法】変更
【補正の内容】
【００４６】
図４に示す固体撮像素子では、垂直信号線Ｖ１に配置された水平転送スイッチ５５３１と、垂直信号線Ｖ２に配置された水平転送スイッチ４２のゲートが列選択線Ｈ１に共通に接続され、水平走査回路１１２１に接続される。また、垂直信号線Ｖ２に配置された光信号水平転送スイッチ５３２と、垂直信号線Ｖ１に配置されたノイズ信号水平転送スイッチ５４１のゲートが列選択線Ｈ３に共通に接続され、水平走査回路１１２１に接続される。また、垂直信号線Ｖ３に配置された水平転送スイッチ３３と、垂直信号線Ｖ４に配置された水平転送スイッチ５４４のゲートが列選択線Ｈ３に共通に接続され、水平走査回路１１２１に接続される。また、垂直信号線Ｖ４に配置された光信号水平転送スイッチ５３４と、垂直信号線Ｖ３に配置されたノイズ信号水平転送スイッチ５４３のゲートが列選択線Ｈ４に共通に接続され、水平走査回路１１２１に接続される。
【手続補正１０】
【補正対象書類名】図面
【補正対象項目名】図２
【補正方法】変更
【補正の内容】
【図２】
2007266760.tif 000001
【手続補正１１】
【補正対象書類名】図面
【補正対象項目名】図４
【補正方法】変更
【補正の内容】
【図４】
2007266760.tif 000002